(57)【要約】【課題】バックハンガー式の手洗ボウルを突設物の直下の壁に容易且つ強固に取り付けることができる手洗ボウルの施工方法を提供する。【解決手段】まず壁２に突設された突設物の下方の壁２に、掛止部９を有するバックハンガー６を上下方向に移動自在に取り付ける。次に、手洗ボウル１を突設物により上方への移動が規制されるように突設物の下方に配置した後に前記バックハンガー６を上方に移動して手洗ボウル１の背面に形成された被掛止部１２を掛止部９に引掛ける。或いは手洗ボウ１ルの被掛止部１２をバックハンガー６の掛止部９に引掛けた後に手洗ボウル１をバックハンガー６と共に上方に移動して突設物により上方への移動が規制されるように突設物の下方に配置する。この後、バックハンガー６を支持手段で支持する。【選択図】図１
2011130845.tif 000002
【特許請求の範囲】
【請求項１】
壁に突設された突設物の下方の壁に、掛止部を有するバックハンガーを上下方向に移動自在に取り付け、次に、手洗ボウルを突設物により上方への移動が規制されるように突設物の下方に配置した後に前記バックハンガーを上方に移動して手洗ボウルの背面に形成された被掛止部を掛止部に引掛け、或いは前記手洗ボウルの被掛止部をバックハンガーの掛止部に引掛けた後に手洗ボウルをバックハンガーと共に上方に移動して突設物により上方への移動が規制されるように突設物の下方に配置し、この後、バックハンガーを支持手段で支持することを特徴とする手洗ボウルの施工方法。
【請求項２】
前記上方に移動したバックハンガーの下方に前記支持手段を構成するキャビネットを設置し、該キャビネット上にバックハンガーを載置することを特徴とする請求項１に記載の手洗ボウルの施工方法。
【発明の詳細な説明】
【技術分野】
【０００１】
本発明はバックハンガーを介して壁に取り付けられる手洗ボウルの施工方法に関する。
【背景技術】
【０００２】
従来から利用されている手洗ボウルには、壁に固着されたバックハンガーに掛着されるバックハンガー式のものがある（例えば特許文献１）。
【先行技術文献】
【特許文献】
【０００３】
【特許文献１】特開２００９−２０１６１１号公報
【発明の概要】
【発明が解決しようとする課題】
【０００４】
ところで手洗ボウル１が設置される壁２には、図５のように収納体３等の突設物が突設されることがある。ここで収納体３の直下の壁２にバックハンガー式の手洗ボウル１を設けるには、手洗ボウル１をバックハンガー６に前側から引っ掛ける際に手洗ボウル１を少なくともバックハンガー６に対する引掛代以上上昇させる必要があり、この際に例えば図５のように手洗ボウル１が直上の収納体３に当たって手洗ボウル１をバックハンガー６に引っ掛けられない事態が生じる恐れがある。これを避けるには、手洗ボウル１を前記引掛代以上の隙間を介して収納体３の下方に配設する必要がある。しかしこのように手洗ボウル１を設けると前記隙間を介して壁２が露出し、また手洗ボウル１と収納体３の一体感が得られ難く、見栄えが良くない。また、設置後の手洗ボウル１は、上方に移動してバックハンガー６から外れる恐れがあり、これを防止するには別途ねじ等の手段により手洗ボウル１を上方に移動しないよう強固に固定する必要がある。
【０００５】
本発明は上記事情に鑑みてなされたものであって、バックハンガー式の手洗ボウルを突設物の直下の壁に容易且つ強固に取り付けることができる手洗ボウルの施工方法を提供することを課題とする。
【課題を解決するための手段】
【０００６】
前記課題を解決するために本発明では手洗ボウルを以下のように施工する。まず壁２に突設された突設物の下方の壁２に、掛止部９を有するバックハンガー６を上下方向に移動自在に取り付ける。次に、手洗ボウル１を突設物により上方への移動が規制されるように突設物の下方に配置した後に前記バックハンガー６を上方に移動して手洗ボウル１の背面に形成された被掛止部１２を掛止部９に引掛ける。或いは前記手洗ボウ１ルの被掛止部１２をバックハンガー６の掛止部９に引掛けた後に手洗ボウル１をバックハンガー６と共に上方に移動して突設物により上方への移動が規制されるように突設物の下方に配置する。この後、バックハンガー６を支持手段で支持する。
【０００７】
この施工方法にあっては、手洗ボウル１の被掛止部１２をバックハンガー６の掛止部９に引っ掛ける際に、突設物の下方の壁２に設けられたバックハンガー６を設置予定箇所よりも下方に配置して、該バックハンガー６と突設物との間に隙間２０を形成し、この隙間２０を利用して手洗ボウル１の被掛止部１２をバックハンガー６の掛止部９に支障なく引っ掛けることができる。また施工後はバックハンガー６に掛着された手洗ボウル１が突設物の直下に配置され、手洗ボウル１と突設物との間に壁２を露出させる大きな隙間が形成されず、見栄えが良い。またこのように設けられた手洗ボウル１は突設物により上方への移動が規制され、この手洗ボウル１の被掛止部１２により支持手段により支持されたバックハンガー６の上方への移動が規制される。このため別途ねじ等の手段により手洗ボウル１が上方に移動しないよう強固に固定することなく、被掛止部１２と掛止部９の掛止が外れることを防止して、手洗ボウル１を強固に取り付けることができる。
【０００８】
また前記上方に移動したバックハンガー６の下方に前記支持手段を構成するキャビネット５を設置し、該キャビネット５上にバックハンガー６を載置することが好ましい。この場合、手洗ボウル１の下方に設置されるキャビネット５を利用してバックハンガー６を支持することができる。
【発明の効果】
【０００９】
本発明にあってはバックハンガー式の手洗ボウルを突設物の直下の壁に容易且つ強固に取り付けることができる。
【図面の簡単な説明】
【００１０】
【図１】本発明の実施形態の手洗ボウルの施工状態を示す断面図である。
【図２】同上の手洗ボウルを壁に設けるにあたって、バックハンガーを壁に取り付けた状態を示し、（ａ）は縦断面図であり、（ｂ）は正面図である。
【図３】図２のバックハンガーを下降させた状態を示し、（ａ）は縦断面図であり、（ｂ）は正面図である。
【図４】図３のバックハンガーの上方に手洗ボウルの被掛止部を配置した状態を示す縦断面図である。
【図５】従来の手洗ボウルを収納体直下に取り付ける際の様子を示した縦断面図である。
【発明を実施するための形態】
【００１１】
以下本発明を添付図面に基づいて説明する。図１は本実施形態の手洗ボウル１がバックハンガー６を介して壁２に取り付けられた状態を示す断面図である。なお本発明では、壁２と直交する方向を前後方向とし、手洗ボウル１を設置する室内側を前、室外側を後と定義して説明する。
【００１２】
手洗ボウル１は、トイレ室の壁２に突設された収納体３の下方の壁２に沿って取り付けられたバックハンガー６に取り付けられるものであり、この手洗ボウル１によってバックハンガー６の前側は覆われる。手洗ボウル１の下方にはキャビネット５が配設され、手洗ボウル１、収納体３、及びキャビネット５で手洗器ユニットが構成される。
【００１３】
収納体３は小物等を収納する壁面収納であって、前部が壁２よりも前方に突出し且つ後部が手洗ボウル１の設置予定箇所の上方の壁２に埋め込まれた状態で壁２に設けられる。すなわち、本実施形態では収納体３が手洗ボウル１の上方の壁２に突設される突設物となっている。
【００１４】
バックハンガー６は板材により形成されている。バックハンガー６には前後方向に貫通する上下に長い長孔７が形成され、長孔７にはバックハンガー６を壁２に取り付けるためのねじ１３を挿通できる。バックハンガー６の上端面は後方に向かって下り傾斜した係合面８とされ、これによりバックハンガー６の上端には、係合面８で背面が構成された楔状の掛止部９が形成されている。
【００１５】
手洗ボウル１は、上方に開口したボウル部１１と、ボウル部１１の後縁に立設した壁状のバックガード３とを備えている。手洗ボウル１には、ボウル部１１に水を供給する図示しないカラン等の給水手段が設けられる。また図示は省略するが、手洗ボウル１の底部には排水口部が形成され、ボウル部１１内の水を排水口部に接続される排水管を介して排出できるようになっている。
【００１６】
手洗ボウル１の背面は、ボウル部１１の背面と、この上方に連続したバックガード３の背面とで構成されている。この手洗ボウル１の背面には、バックハンガー６の掛止部９で掛止される被掛止部１２が形成されている。
【００１７】
被掛止部１２はバックガード３の上縁に形成されて後方に突出し、その後端部には下方に突出する突条１７が形成されている。突条１７の前面は後方に向かって下り傾斜した被係合面１６とされ、被係合面１６は係合面８と略平行な傾斜面となっている。またキャビネット５は手洗ボウル１の下方の床に設置され、前記排水管等を覆う。
【００１８】
手洗ボウル１を壁２に施工するには、まず図２のようにバックハンガー６を収納体３の下方の壁２に取り付ける。このバックハンガー６の取り付けの際には、まずキャビネット５を床の設置予定箇所に仮設置し、次にバックハンガー６を壁２に沿わせると共に仮設置したキャビネット５上に載置し、これによってバックハンガー６を設置予定箇所に配置する。次にバックハンガー６の長孔７に筒状のスペーサー１８を挿入すると共にこのスペーサー１９に前側からワッシャー１９を介してねじ１３を挿入し、該ねじ１３を頭部１３ａと壁２との間にワッシャー１９とスペーサー１８が挟持される状態になるまで壁２にねじ込む。これによりワッシャー１９と壁２の間にバックハンガー６の長孔７の両側縁部が介在し、バックハンガー６は前後方向の移動が規制された状態で壁２に取り付けられる。
【００１９】
このようにバックハンガー６が壁２に取り付けられた状態では、図２（ｂ）のようにスペーサー１８は長孔７の上下方向の中間部又は下部に配置される。またスペーサー１８の軸方向の長さはバックハンガー６の厚みよりもわずかに大きく、図２（ａ）のようにワッシャー１９から壁２までの距離はバックハンガー６の厚みよりもわずかに大きくなるよう設定されている。このため仮設置したキャビネット５を他に移動することで、前記壁２に取り付けられたバックハンガー６は長孔７の縁部をスペーサー１８に沿って移動させて上下方向に移動することが可能になる。つまりバックハンガー６は壁２に対して上下方向に移動自在に取り付けられている。
【００２０】
次に仮設置したキャビネット５を退け、この後、バックハンガー６を壁２に沿って下方にスライドさせ、これによって図３のようにバックハンガー６と上方の収納体３との間に、上下長さが被掛止部１２の最大上下長さよりも長い隙間２０を形成する。なお本実施形態では、手洗ボウル１を収納体３の直下に配置した後にバックハンガー６を上方に移動して手洗ボウル１の被掛止部１２を掛止部９に引掛けた。しかしこれに限定されるものではなく、手洗ボウル１の被掛止部１２をバックハンガー６の掛止部９に引掛けた後に、手洗ボウル１をバックハンガー６と共に上方に移動し、これによって手洗ボウル１を収納体３により上方への移動が規制されるように収納体３の下方に配置しても構わない。
【００２１】
この後、図４のように手洗ボウル１を設置予定箇所となるバックハンガー６の前側に配置して、被掛止部１２を隙間２０に収めると共に、被掛止部１２の後面を壁２に、手洗ボウル１の上端面を壁２より突出した収納体３の下面に、夫々当接させる。続いてバックハンガー６を係合面８と被係合面１６が係合するまで壁２に沿って上方にスライドさせる。これにより手洗ボウル１の被掛止部１２がバックハンガー６の掛止部９に引掛けられる。この後、図１のようにキャビネット５を壁２ａに沿って本設置し、該キャビネット５上にバックハンガー６と手洗ボウル１を載置し、また手洗ボウル１をキャビネット５に固定する。すなわち本実施形態ではキャビネット５でバックハンガー６を支持する支持手段が構成されている。
【００２２】
このように施工された手洗ボウル１は、被掛止部１２の突状１７が掛止部９の後側に係合して前方に移動不能となり、また被掛止部１２の後面が壁２に当接して後方に移動不能となる。さらに手洗ボウル１は収納体３により上方への移動が規制され、この手洗ボウル１の被掛止部１２によりバックハンガー６は上方への移動が規制され、またバックハンガー６の下方への移動はキャビネット５により規制される。
【００２３】
このように本実施形態にあっては、収納体３の下方の壁２に上下方向に移動自在に取り付けたバックハンガー６を上方に移動することで、バックハンガー６の掛止部９に収納体３の直下に配置された手洗ボウル１の被掛止部１２を掛止させることができる。このため手洗ボウル１を収納体３との間に壁２を露出させる大きな隙間を形成することなく壁２に設けることができて見栄えが良い。またこのように設けられた手洗ボウル１は収納体３により上方への移動が規制され、この手洗ボウル１の被掛止部１２によりキャビネット５に支持されたバックハンガー６の上方への移動が規制される。このため別途ねじ等の手段により手洗ボウル１が上方に移動しないよう強固に固定することなく、被掛止部１２と掛止部９の掛止が外れることを防止して、手洗ボウル１を強固に取り付けることができる。またバックハンガー６は手洗ボウル１の下方に設置されるキャビネット５で支持されるので、別途バックハンガー６を支持する支持手段を設ける必要がなく、容易に施工できる。
【００２４】
なお本実施形態では手洗ボウル１の設置予定箇所の直上の壁２に設けられる突設物を収納体３としたが、突設物は棚等であってもよい。またバックハンガー６は上下方向に移動自在に取り付けられるものであればよく、複数のねじで壁２に取り付けられるものであってもよく、またバックハンガー６を上下方向に移動自在に取り付ける手段は本実施形態のものに限定されるものではない。また、バックハンガー６を支持する支持手段をキャビネット５としたが、キャビネット５以外のものであってもよい。また本実施形態では、手洗ボウル１をトイレ室の壁２に施工する例を示したが、本発明はトイレ室以外の壁に施工される手洗ボウルにも適用可能である。
【符号の説明】
【００２５】
１  手洗ボウル
２  壁
５  キャビネット
６  バックハンガー
９  掛止部
１２  被係止部
【図１】
2011130845.tif 000003
【図２】
2011130845.tif 000004
【図３】
2011130845.tif 000005
【図４】
2011130845.tif 000006
【図５】
2011130845.tif 000007